(57)【特許請求の範囲】
【請求項１】
測定用交流信号を発生する交流信号発生手段と、
前記交流信号発生手段により発生された前記測定用交流信号が印加された被測定電池の電圧を検出する電圧検出手段と、
前記電圧検出手段により検出された前記被測定電池の電圧を基に前記被測定電池のインピーダンスを測定するインピーダンス測定手段と、
を有する測定装置において、
前記電圧検出手段は、前記被測定電池のアナログの電圧値をサンプリングしてデジタルの電圧値に変換するアナログ／デジタル変換手段を有し、
前記アナログ／デジタル変換手段のサンプリング値が所定回数連続して測定範囲の上限を超えるか下限未満になるときには前記被測定電池の電圧ドリフトと判定する手段を有する、
ことを特徴とする測定装置。
【請求項２】
測定用交流信号を発生する交流信号発生手段と、
前記交流信号発生手段により発生された前記測定用交流信号が印加された被測定電池の電圧を検出する電圧検出手段と、
前記電圧検出手段により検出された前記被測定電池の電圧を基に前記被測定電池のインピーダンスを測定するインピーダンス測定手段と、
を有する測定装置において、
前記電圧検出手段は、前記被測定電池のアナログの電圧値をサンプリングしてデジタルの電圧値に変換するアナログ／デジタル変換手段を有し、
前記アナログ／デジタル変換手段の所定の周期の同位相のサンプリング値の偏差の絶対値が所定値以上のときには前記被測定電池の電圧ドリフトと判定する手段を有する、
ことを特徴とする測定装置。
【請求項３】
測定用交流信号を発生する交流信号発生手段と、
前記交流信号発生手段により発生された前記測定用交流信号が印加された被測定電池の電圧を検出する電圧検出手段と、
前記電圧検出手段により検出された前記被測定電池の電圧を基に前記被測定電池のインピーダンスを測定するインピーダンス測定手段と、
を有する測定装置が実行する測定方法において、
前記電圧検出手段が、前記被測定電池のアナログの電圧値をサンプリングしてデジタルの電圧値に変換するアナログ／デジタル変換ステップを有し、
前記アナログ／デジタル変換ステップのサンプリング値が所定回数連続して測定範囲の上限を超えるか下限未満になるときには被測定電池の電圧ドリフトと判定するステップを有する、
ことを特徴とする測定方法。
【請求項４】
測定用交流信号を発生する交流信号発生手段と、
前記交流信号発生手段により発生された前記測定用交流信号が印加された被測定電池の電圧を検出する電圧検出手段と、
前記電圧検出手段により検出された前記被測定電池の電圧を基に前記被測定電池のインピーダンスを測定するインピーダンス測定手段と、
を有する測定装置が実行する測定方法において、
前記電圧検出手段が、前記被測定電池のアナログの電圧値をサンプリングしてデジタルの電圧値に変換するアナログ／デジタル変換ステップを有し、
前記アナログ／デジタル変換ステップの所定の周期の同位相のサンプリング値の偏差の絶対値が所定値以上のときには前記被測定電池の電圧ドリフトと判定するステップを有する、
ことを特徴とする測定方法。
【請求項５】
情報処理装置に、
測定用交流信号を発生する交流信号発生手段と、
前記交流信号発生手段により発生された前記測定用交流信号が印加された被測定電池の電圧を検出する電圧検出手段と、
前記電圧検出手段により検出された前記被測定電池の電圧を基に前記被測定電池のインピーダンスを測定するインピーダンス測定手段と、
を有する測定装置の制御機能を実現させるプログラムにおいて、
前記電圧検出手段は、前記被測定電池のアナログの電圧値をサンプリングしてデジタルの電圧値に変換するアナログ／デジタル変換手段を有し、
前記アナログ／デジタル変換手段のサンプリング値が所定回数連続して測定範囲の上限を超えるか下限未満になるときには前記被測定電池の電圧ドリフトと判定する機能を実現させる、
ことを特徴とするプログラム。
【請求項６】
情報処理装置に、
測定用交流信号を発生する交流信号発生手段と、
前記交流信号発生手段により発生された前記測定用交流信号が印加された被測定電池の電圧を検出する電圧検出手段と、
前記電圧検出手段により検出された前記被測定電池の電圧を基に前記被測定電池のインピーダンスを測定するインピーダンス測定手段と、
を有する測定装置の制御機能を実現させるプログラムにおいて、
前記電圧検出手段は、前記被測定電池のアナログの電圧値をサンプリングしてデジタルの電圧値に変換するアナログ／デジタル変換手段を有し、
前記アナログ／デジタル変換手段の所定の周期の同位相のサンプリング値の偏差の絶対値が所定値以上のときには前記被測定電池の電圧ドリフトと判定する機能を実現させる、
ことを特徴とするプログラム。
【発明の詳細な説明】
【技術分野】
【０００１】
本発明は、測定装置および測定方法ならびにプログラムに関する。
【背景技術】
【０００２】
電池の内部インピーダンスを測定する場合、被測定電池に対して所定周波数の測定用交流信号が供給され、その状態における被測定電池の端子間電圧値または電流値が測定される（たとえば、特許文献１参照）。
【先行技術文献】
【特許文献】
【０００３】
【特許文献１】特開２０１４−１００２８号公報
【発明の概要】
【発明が解決しようとする課題】
【０００４】
被測定電池のインピーダンスを測定するに当たり、被測定電池が不良であったり劣化するなどして、被測定電池の放電速度が速く、被測定電池の電圧が測定中に低下する場合がある。あるいは、被測定電池が不良であったり劣化していない場合でも被測定電池の充電量が少ない場合などには、測定用の電力によって被測定電池が充電されるため、被測定電池の電圧が測定中に上昇する場合がある。このように、被測定電池の電圧が測定中に上昇または低下することを電圧ドリフトと称する。
【０００５】
インピーダンスの測定中に被測定電池の電圧が上昇または低下すると、測定装置の測定範囲を逸脱する場合があり、測定結果はレンジオーバーとなる。一方で、ユーザが測定装置に設定した測定範囲が適切ではないときも測定結果がレンジオーバーとなる。いずれの場合にも測定は失敗となる。あるいは、レンジオーバーが生じなくても電圧ドリフトの発生に気付かずにインピーダンス測定を行った場合には、測定精度が低下する場合がある。
【０００６】
このように、被測定電池の電圧が測定中に上昇または低下する電圧ドリフトが発生している場合と設定された測定範囲が適切ではないときの両方で、測定結果がレンジオーバーとなる。そのため、ユーザは、レンジオーバーの原因が、被測定電池の電圧ドリフトによるものなのか、測定範囲の設定ミスによるものなのかを把握することができない場合がある。
【０００７】
本発明は、このような背景の下に行われたものであって、被測定電池の電圧ドリフトまたは電圧ドリフトによるレンジオーバーであることを判定することができる測定装置および測定方法ならびにプログラムを提供することを目的とする。
【課題を解決するための手段】
【０００８】
本発明は、測定用交流信号を発生する交流信号発生手段と、交流信号発生手段により発生された測定用交流信号が印加された被測定電池の電圧を検出する電圧検出手段と、電圧検出手段により検出された被測定電池の電圧を基に被測定電池のインピーダンスを測定するインピーダンス測定手段と、を有する測定装置において、電圧検出手段は、被測定電池のアナログの電圧値をサンプリングしてデジタルの電圧値に変換するアナログ／デジタル変換手段を有し、アナログ／デジタル変換手段のサンプリング値が所定回数連続して測定範囲の上限を超えるか下限未満になるときには被測定電池の電圧ドリフトと判定する手段を有するものである。
【０００９】
あるいは、本発明は、測定用交流信号を発生する交流信号発生手段と、交流信号発生手段により発生された測定用交流信号が印加された被測定電池の電圧を検出する電圧検出手段と、電圧検出手段により検出された被測定電池の電圧を基に被測定電池のインピーダンスを測定するインピーダンス測定手段と、を有する測定装置において、電圧検出手段は、被測定電池のアナログの電圧値をサンプリングしてデジタルの電圧値に変換するアナログ／デジタル変換手段を有し、アナログ／デジタル変換手段の所定の周期の同位相のサンプリング値の偏差の絶対値が所定値以上のときには被測定電池の電圧ドリフトと判定する手段を有するものである。
【００１０】
本発明の他の観点は、測定用交流信号を発生する交流信号発生手段と、交流信号発生手段により発生された測定用交流信号が印加された被測定電池の電圧を検出する電圧検出手段と、電圧検出手段により検出された被測定電池の電圧を基に被測定電池のインピーダンスを測定するインピーダンス測定手段と、を有する測定装置が実行する測定方法において、電圧検出手段が、被測定電池のアナログの電圧値をサンプリングしてデジタルの電圧値に変換するアナログ／デジタル変換ステップを有し、アナログ／デジタル変換ステップのサンプリング値が所定回数連続して測定範囲の上限を超えるか下限未満になるときには被測定電池の電圧ドリフトと判定するステップを有するものである。
【００１１】
あるいは、本発明の他の観点は、測定用交流信号を発生する交流信号発生手段と、交流信号発生手段により発生された測定用交流信号が印加された被測定電池の電圧を検出する電圧検出手段と、電圧検出手段により検出された被測定電池の電圧を基に被測定電池のインピーダンスを測定するインピーダンス測定手段と、を有する測定装置が実行する測定方法において、電圧検出手段が、被測定電池のアナログの電圧値をサンプリングしてデジタルの電圧値に変換するアナログ／デジタル変換ステップを有し、アナログ／デジタル変換ステップの所定の周期の同位相のサンプリング値の偏差の絶対値が所定値以上のときには被測定電池の電圧ドリフトと判定するステップを有するものである。
【００１２】
本発明のさらに他の観点は、情報処理装置に、測定用交流信号を発生する交流信号発生手段と、交流信号発生手段により発生された測定用交流信号が印加された被測定電池の電圧を検出する電圧検出手段と、電圧検出手段により検出された被測定電池の電圧を基に被測定電池のインピーダンスを測定するインピーダンス測定手段と、を有する測定装置の制御機能を実現させるプログラムにおいて、電圧検出手段は、被測定電池のアナログの電圧値をサンプリングしてデジタルの電圧値に変換するアナログ／デジタル変換手段を有し、アナログ／デジタル変換手段のサンプリング値が所定回数連続して測定範囲の上限を超えるか下限未満になるときには被測定電池の電圧ドリフトと判定する機能を実現させるものである。
【００１３】
あるいは、本発明のさらに他の観点は、情報処理装置に、測定用交流信号を発生する交流信号発生手段と、交流信号発生手段により発生された測定用交流信号が印加された被測定電池の電圧を検出する電圧検出手段と、電圧検出手段により検出された被測定電池の電圧を基に被測定電池のインピーダンスを測定するインピーダンス測定手段と、を有する測定装置の制御機能を実現させるプログラムにおいて、電圧検出手段は、被測定電池のアナログの電圧値をサンプリングしてデジタルの電圧値に変換するアナログ／デジタル変換手段を有し、アナログ／デジタル変換手段の所定の周期の同位相のサンプリング値の偏差の絶対値が所定値以上のときには被測定電池の電圧ドリフトと判定する機能を実現させるものである。
【発明の効果】
【００１４】
本発明によれば、被測定電池の電圧ドリフトまたは電圧ドリフトによるレンジオーバーであることを判定することができる。
【図面の簡単な説明】
【００１５】
【図１】本発明の第一の実施の形態に係る測定装置のブロック構成図である。
【図２】図１のインピーダンス測定部の動作を示すフローチャートである。
【図３】インピーダンス測定部への入力信号の中心がオフセットしている状態を示す図である。
【図４】図３の入力信号のサンプリングポイントを示す図である。
【図５】インピーダンス測定部への入力信号が電圧ドリフトしている状態を示す図である。
【図６】図５の入力信号のサンプリングポイントを示す図である。
【図７】本発明の第二の実施の形態に係るインピーダンス測定部の動作を示すフローチャートである。
【図８】図３の入力信号の所定の周期の同位相のサンプリングポイントを示す図である。
【図９】図５の入力信号の所定の周期の同位相のサンプリングポイントを示す図である。
【発明を実施するための形態】
【００１６】
（第一の実施の形態）
本発明の第一の実施の形態に係る測定装置１を図１を参照しながら説明する。
【００１７】
（測定装置１の構成）
測定装置１は、測定用交流信号を発生する交流信号発生回路１０と、交流信号発生回路１０により発生された測定用交流信号が印加された被測定電池Ｂの電圧を検出する電圧検出回路２０と、測定用交流信号が印加される被測定電池Ｂの電圧を電圧検出回路２０が検出するのに先立って、被測定電池Ｂの直流成分を差し引くための直流電圧を発生する電池電圧キャンセル回路４０と、電圧検出回路２０により検出された被測定電池Ｂの電圧を基に被測定電池Ｂのインピーダンスを測定するインピーダンス測定部３０と、を有する。
【００１８】
交流信号発生回路１０は、測定用交流信号を発生する信号発生源１１と、信号発生源１１から発生する測定用交流信号を増幅する増幅器１２と、被測定電池Ｂに測定用交流信号を供給する端子Ｈｃ，Ｌｃとを有する。端子Ｈｃの一端は、被測定電池Ｂの正極に接続され、端子Ｈｃの他端は、増幅器１２の出力に接続される。端子Ｌｃの一端は、被測定電池Ｂの負極に接続され、端子Ｌｃの他端は、接地される。信号発生源１１から発生する測定用交流信号は、被測定電池Ｂに対して交流の定電流（実効値が一定）が流れるように制御されている。
【００１９】
電圧検出回路２０は、被測定電池Ｂの正極に接続される端子Ｈｐと、被測定電池Ｂの負極に接続される端子Ｌｐと、オペアンプ２１，２２と、増幅器２３と、Ａ／Ｄ変換器２４と、抵抗器Ｒ１，Ｒ２とを有する。
【００２０】
インピーダンス測定部３０には、入力部５０と出力部６０とが接続される。入力部５０は、ユーザが測定レンジを設定したり、測定開始を指示するためのスイッチ類（不図示）が配置されている。出力部６０は、測定結果の表示部（不図示）や音響信号の発生部（不図示）などが配置されている。
【００２１】
（測定装置１の動作）
被測定電池Ｂの正極の電圧は、電圧検出回路２０のオペアンプ２１の−入力端子に入力され、被測定電池Ｂの負極の電圧は、オペアンプ２１の＋入力端子に入力される。オペアンプ２１は、−入力端子に入力された電圧と＋入力端子に入力された電圧とに基づいて発生する電圧を抵抗器Ｒ１を介してオペアンプ２２の−入力端子に出力する。オペアンプ２２は、−入力端子に入力される電圧と＋入力端子に入力される電池電圧キャンセル回路４０の電圧とに基づいて発生する電圧を増幅器２３を介してＡ／Ｄ変換器２４に出力する。
【００２２】
インピーダンス測定部３０は、電圧検出回路２０のＡ／Ｄ変換器２４によりデジタル変換された増幅器２３の出力電圧を入力し、被測定電池Ｂに流れる電流に基づき被測定電池Ｂのインピーダンスを算出する。被測定電池Ｂに流れる電流は、定電流とされているので、あらかじめインピーダンス測定部３０が定電流の電流値を記憶していてもよいし、図示しない電流検出回路で測定してもよい。インピーダンス測定部３０が算出した被測定電池Ｂのインピーダンスは、出力部６０に表示される。インピーダンス測定部３０は、詳細は後述する、電圧ドリフト判定処理を行う。
【００２３】
上述のＡ／Ｄ変換器２４は、増幅器２３の出力電圧をサンプリングすることによりデジタル変換する。Ａ／Ｄ変換器２３は、多数のサンプリングポイントでサンプリングを行っており、ノイズ等の混入を避けるために、インピーダンス測定部３０は、被測定電池Ｂのインピーダンスを測定するときには、所定の周期の同位相のサンプリング値は用いない。一方、後述する電圧ドリフト判定処理のためには、インピーダンス測定部３０は、所定の周期の同位相のサンプリング値を用いる。
【００２４】
測定装置１では、交流信号発生回路１０の信号発生源１１が信号を発生していないときには、電圧検出回路２０の増幅器２３の入力側の電圧がゼロボルトであるように調整が行われる。すなわち、信号発生源１１が信号を発生していないときには、電池電圧キャンセル回路４０の出力電圧を調整することで、オペアンプ２２の出力電圧がゼロボルトとなるように調整が行われる。これにより、被測定電池Ｂの持つ直流電圧がインピーダンス測定に与える影響が除去される。
【００２５】
（電圧ドリフトの判定）
測定装置１では、被測定電池Ｂのインピーダンス測定に際し、図２に示すフローチャートの処理によって、被測定電池Ｂの電圧が測定中に上昇したり低下する現象である被測定電池Ｂの電圧ドリフトの有無を判定する。被測定電池Ｂの電圧が上昇する電圧ドリフトの原因は、測定中に信号発生源１１の電力によって被測定電池Ｂが充電されるためである。このような被測定電池Ｂの電圧がインピーダンス測定中に上昇する電圧ドリフトは、被測定電池Ｂの充電量が少ない場合などに生じることがある。一方、被測定電池Ｂの電圧が低下する電圧ドリフトの原因は、測定中に被測定電池Ｂから電圧検出回路２０に供給される電力によって被測定電池Ｂが放電されるためである。このような被測定電池Ｂの電圧がインピーダンス測定中に低下する電圧ドリフトは、被測定電池Ｂが不良であるか劣化していて放電速度が速くなっている場合などに生じることがある。いずれの場合も被測定電池Ｂの精度の高いインピーダンス測定には不適切な現象である。
【００２６】
図２のフローチャートにおけるＳＴＡＲＴの条件は、測定装置１が測定を開始したという条件である。測定装置１が測定を開始すると、処理は、ステップＳ１に進む。
【００２７】
ステップＳ１において、インピーダンス測定部３０は、Ａ／Ｄ変換器２４から出力されるデジタル信号のサンプリング値が測定範囲外になるか否かを判定する。ここで、測定範囲とは、ユーザが設定した被測定電圧の上限と下限の範囲である。ステップＳ１において、サンプリング値が測定範囲外になると判定されると、処理は、ステップＳ２に進む。一方、ステップＳ１において、サンプリング値が測定範囲内であると判定されると、処理は、ステップＳ５に進む。
【００２８】
ステップＳ２において、インピーダンス測定部３０は、サンプリング値が上下限のいずれか一方で測定範囲外になるか否かを判定する。ステップＳ２において、サンプリング値が上下限のいずれか一方で測定範囲外になると判定されると、処理は、ステップＳ３に進む。一方、ステップＳ２において、サンプリング値が上下限の双方で測定範囲外になると判定されると、処理は、ステップＳ６に進む。
【００２９】
ステップＳ３において、インピーダンス測定部３０は、サンプリング値が所定回数連続して測定範囲の上限を超えるか下限未満になるか否かを判定する。ステップＳ３において、サンプリング値が所定回数連続して測定範囲の上限を超えるか下限未満になると判定されると、処理は、ステップＳ４に進む。一方、ステップＳ３において、サンプリング値が所定回数連続して測定範囲の上限を超えるか下限未満にならないと判定されると、処理は、ステップＳ６に進む。なお、所定回数は、２以上であれば良く、所定回数が増えると判定精度は良くなる。
【００３０】
ステップＳ４において、インピーダンス測定部３０は、出力部６０に、電圧ドリフトと表示して処理を終了する（ＥＮＤ）。
【００３１】
ステップＳ５において、インピーダンス測定部３０は、出力部６０に測定値を表示して処理を終了する（ＥＮＤ）。
【００３２】
ステップＳ６において、インピーダンス測定部３０は、出力部６０にレンジオーバーを表示して処理を終了する（ＥＮＤ）。
【００３３】
以上説明したように、インピーダンス測定部３０は、ステップＳ４で、被測定電池Ｂの電圧ドリフトを判定して表示することができるが、電圧ドリフトを判定する原理を図３〜図６を参照して以下に説明する。
【００３４】
図２のフローチャートのステップＳ１のように、Ａ／Ｄ変換器２４から出力されるデジタル信号のサンプリング値が測定範囲外になる原因として、（１）設定レンジが誤っている場合、図３に示すように、（２）測定レンジの中心に対して入力信号がオフセットしている場合、図５に示すように、（３）測定中に被測定電池Ｂの電圧がドリフトする場合の３つの原因が考えられる。
【００３５】
（１）設定レンジが誤っている場合
この場合は、信号発生源１１が発生する交流信号の振幅が測定範囲に収まらないので、たとえばサンプリング値の最大電圧値および最小電圧値に着目すると、その双方が共に測定範囲外になる。これについては、図２のフローチャートのステップＳ１でＹｅｓとなりステップＳ２でＮｏとなることで判定が可能である。
【００３６】
（２）測定レンジの中心に対して入力信号がオフセットしている場合
この場合には、図３に示すように、信号発生源１１が発生する交流信号のサンプリング値の最大電圧値または最小電圧値に着目すると、そのいずれか一方だけが測定範囲外になる。ただし、図４に示すように、交流波形の山または谷の先端部附近が測定範囲を逸脱するので、逸脱するサンプリング値は交流波形の周期毎に現れて不連続的である。これについては、図２のフローチャートのステップＳ１およびステップＳ２でＹｅｓとなりステップＳ３でＮｏとなることで判定が可能である。
【００３７】
（３）測定中に被測定電池Ｂの電圧がドリフトする場合
この場合には、図５に示すように、信号発生源１１が発生する交流信号のサンプリング値は、測定範囲の上限を超えるか下限未満になると共に、交流波形が全体的に測定範囲を逸脱するので、図６に示すように、逸脱するサンプリング値は連続的である。図６はサンプリング値が下限未満となる例であるが、サンプリング値が上限を超える場合も図６の上下関係を反転させることにより同様である。これについては、図２のフローチャートのステップＳ１、ステップＳ２およびステップＳ３でＹｅｓとなることで判定が可能である。
【００３８】
このようにして、インピーダンス測定部３０は、サンプリング値が所定回数連続して測定範囲の上限を超えるか下限未満になるか否かを判定することにより、被測定電池Ｂの電圧ドリフトを判定することができる。
【００３９】
（第二の実施の形態）
本発明の第一の実施の形態に係る測定装置１ａについて、図７〜図９を参照して説明する。上述した第一の実施の形態と第二の実施の形態とは一部が異なり、異なる部分について主に説明する。なお、測定装置１ａの構成は、図１と共通であるので、説明文中の符号のみを変えて説明する。
【００４０】
第二の実施の形態では、図７に示すインピーダンス測定部３０ａが実行する処理を示すフローチャートの中で、ステップＳ１，Ｓ２，Ｓ４，Ｓ５，Ｓ６については、図２に示すフローチャートと同じ処理を行う。一方で、図７のフローチャートの中で、ステップＳ１０の処理が図２のフローチャートのステップＳ３の処理とは異なる。
【００４１】
第二の実施の形態では、信号発生源１１が発生する交流信号のサンプリング値の所定の周期の同位相同士を比較し、前回のサンプリング値と今回のサンプリング値との差分を偏差と称する。被測定電池Ｂに電圧ドリフトが生じていないときには、図８に示すように、所定の周期の同位相における前回のサンプリング値と今回のサンプリング値との偏差はほぼゼロになる。一方、被測定電池Ｂに電圧ドリフトが生じると、図９に示すように、所定の周期の同位相における前回のサンプリング値と今回のサンプリング値との偏差の絶対値は所定値以上になる。この偏差の絶対値の大きさを判定することで、被測定電池Ｂの電圧ドリフトの有無を判定する。図９は電圧が低下する電圧ドリフトの例であるが、電圧が上昇する電圧ドリフトの場合も図９の上下関係を反転させることにより同様である。
【００４２】
すなわち、ステップＳ１０において、インピーダンス測定部３０ａは、所定の周期の同位相となるサンプリング値の偏差の絶対値が所定値以上か否かを判定する。ステップＳ１０において、所定の周期の同位相となるサンプリング値の偏差の絶対値が所定値以上であると判定されると、処理は、ステップＳ４に進む。一方、ステップＳ１０において、所定の周期の同位相となるサンプリング値の偏差の絶対値が所定値未満であると判定されると、処理は、ステップＳ６に進む。
【００４３】
第一の実施の形態でも説明したように、図７のフローチャートのステップＳ１のように、Ａ／Ｄ変換器２４から出力されるデジタル信号のサンプリング値が測定範囲外になる原因として、（１）設定レンジが誤っている場合、（２）測定レンジの中心に対して入力信号がオフセットしている場合、（３）測定中に被測定電池Ｂの電圧がドリフトする場合の３つの場合が考えられる。このうちの（１）設定レンジが誤っている場合、（２）測定レンジの中心に対して入力信号がオフセットしている場合については、第一の実施の形態で説明したとおりである。
【００４４】
（３）測定中に被測定電池Ｂの電圧がドリフトする場合
この場合には、信号発生源１１が発生する交流信号のサンプリング値は、測定範囲の下限を逸脱すると共に、電圧値が徐々に低下するので、所定の周期の同位相となるサンプリング値の偏差の絶対値が所定値以上となる。これについては、図７のフローチャートのステップＳ１、ステップＳ２およびステップＳ１０でＹｅｓとなることで判定が可能である。
【００４５】
このようにして、インピーダンス測定部３０ａは、所定の周期の同位相となるサンプリング値の偏差の絶対値が所定値以上であるか否かを判定することにより、被測定電池Ｂの電圧ドリフトを判定することができる。
【００４６】
なお、所定の周期の同位相となるサンプリング値の偏差の絶対値が所定値以上であれば、測定範囲を逸脱していなくても被測定電池Ｂの電圧ドリフトを判定することができる。そこで、図７のフローチャートにおけるレンジオーバーを判定するステップＳ１，Ｓ２，Ｓ５，Ｓ６の処理とは並列に、被測定電池Ｂの電圧ドリフトを判定するためのステップＳ１０およびステップＳ４の処理を別の処理として実行してもよい。また、レンジオーバーを判定するステップＳ１，Ｓ２，Ｓ５，Ｓ６の処理を行わずに、被測定電池Ｂの電圧ドリフトの有無のみを判定するステップＳ１０およびステップＳ４の処理を実行してもよい。
【００４７】
（その他の実施の形態)
インピーダンス測定部３０，３０ａは、情報処理装置が予めインストールされている所定のプログラムを実行することによって実現することができる。このような情報処理装置は、たとえば、不図示のメモリ、ＣＰＵ(Central Processing Unit)、入出力ポートなどを有する。情報処理装置のＣＰＵは、メモリなどから所定のプログラムとして制御プログラムを読み込んで実行する。これにより、情報処理装置には、インピーダンス測定部３０，３０ａの機能が実現される。なお、ＣＰＵの代わりにＡＳＩＣ(Application Specific Integrated Circuit)、マイクロプロセッサ（マイクロコンピュータ）、ＤＳＰ(Digital Signal Processor)などを用いてもよい。
【００４８】
また、上述の所定のプログラムは、インピーダンス測定部３０，３０ａの出荷前に、情報処理装置のメモリなどに記憶されたものであっても、インピーダンス測定部３０，３０ａの出荷後に、情報処理装置のメモリなどに記憶されたものであってもよい。また、プログラムの一部が、インピーダンス測定部３０，３０ａの出荷後に、情報処理装置のメモリなどに記憶されたものであってもよい。インピーダンス測定部３０，３０ａの出荷後に、情報処理装置のメモリなどに記憶されるプログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００４９】
また、上述の所定のプログラムは、情報処理装置によって直接実行可能なものだけでなく、ハードディスクなどにインストールすることによって実行可能となるものも含む。また、圧縮されたり、暗号化されたりしたものも含む。
【００５０】
このように、情報処理装置とプログラムによってインピーダンス測定部３０，３０ａを実現することにより、大量生産や仕様変更（または設計変更）に対して柔軟に対応可能となる。
【００５１】
なお、情報処理装置が実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【符号の説明】
【００５２】
１…測定装置、１０…交流信号発生回路（交流信号発生手段）、２０…電圧検出回路（電圧検出手段）、２４…Ａ／Ｄ変換器（アナログ／デジタル変換手段）、３０，３０ａ…インピーダンス測定部（インピーダンス測定手段、電圧ドリフトと判定する手段）、Ｂ…被測定電池
【図１】
0006450559.tif 000002
【図２】
0006450559.tif 000003
【図３】
0006450559.tif 000004
【図４】
0006450559.tif 000005
【図５】
0006450559.tif 000006
【図６】
0006450559.tif 000007
【図７】
0006450559.tif 000008
【図８】
0006450559.tif 000009
【図９】
0006450559.tif 000010